(57)【要約】シートベルトリトラクタは、リトラクタ内に回転できるように取り付けられ、スプールの回転方向に応じてシートベルトウェビングを引き込むかまたは繰り出すスプール（１）を有している。ロックリング（３）がスプールの一方の端部に取り付けられている。ロック爪（２２）は、衝突が検知されたときにロックリングを回転しないようにロックする。荷重制限は、ある長さのワイヤ（４）と、スプールとロックリングの一方に取り付けられた巻き取りドラム（５）と、スプールとロックリングの他方に固定されたピン（６）とによって行われる。ワイヤは、ピンの周りに巻かれ、かつワイヤは、スプールとロックリングが相対的に移動したときに、ワイヤがピンの周りを回って引っ張られ、巻き取りドラム上に巻かれるように配置されている。
2006507166.tif 000002
【特許請求の範囲】
【請求項１】
リトラクタ内に回転するように取り付けられたスプール（１）と、前記スプールの一方の端部に取り付けられたロックリング（３）と、衝突時に前記ロックリングを回転しないようにロックするロック爪（２２）と、前記ロックリング（３）がロックされた後で、乗物の乗員の前方への運動量の働きを受けてシートベルトウェビングをさらに繰り出すのを可能にする荷重制限手段とを有し、前記荷重制限手段は、ある長さのワイヤ（４）と、前記スプールおよび前記ロックリングの一方に取り付けられた巻き取りドラム（５）と、前記スプールおよび前記ロックリングの他方に固定されたピン（６）とを有し、前記ワイヤは、前記ピンの周りに巻かれ、かつ前記ワイヤは、前記スプール（１）と前記ロックリング（３）が相対的に移動したときに、前記ワイヤ（４）が前記ピン（６）の周りを回って引っ張られて、前記巻き取りドラム（５）上に巻かれるように構成されているシートベルトリトラクタ。
【請求項２】
前記ワイヤ（４）は、前記ピン（６）の周りに複数回巻かれている、請求項１に記載のリトラクタ。
【請求項３】
前記巻き取りドラム（５）は、ワイヤ（４）の前記コイルの角度が徐々に変化するようにらせんとして形成されている、請求項１または２に記載のシートベルトリトラクタ。
【請求項４】
前記ワイヤ（４）の、前記らせん上の接触点は、所望の荷重制限作用を決定するように選択される、請求項３に記載のシートベルトリトラクタ。
【請求項５】
前記らせんは、前記回転するワイヤがより大きな半径に飛び移り、したがって、トルクを段階的に低減させ、２段階の荷重制限作用を生じるように形成されている、請求項３または４に記載のシートベルトリトラクタ。
【請求項６】
らせんが前記スプール（１）の本体に組み込まれている、請求項１から５のいずれかに記載のシートベルトリトラクタ。
【請求項７】
らせんが前記ロックリング（３）に組み込まれている、請求項１から５のいずれかに記載のシートベルトリトラクタ。
【請求項８】
前記ワイヤ（４）は前記スプールに固定され、前記ピン（６）は前記ロックリング（３）に取り付けられている、請求項１から７のいずれかに記載のシートベルトリトラクタ。
【請求項９】
前記ワイヤ（４）は、第１の真っ直ぐな部分またはわずかに曲がった部分と、これに続く１つまたは２つ以上のコイルと、これに続く第２の真っ直ぐな部分とを有して、スチールで予め形成され、前記ピン（６）は前記コイルに挿入されている、請求項１から８のいずれかに記載のシートベルトリトラクタ。
【請求項１０】
前記ワイヤは少なくとも１本のピン（６）を半径方向に包囲するように配置されている、請求項１から９のいずれかに記載のシートベルトリトラクタ。
【請求項１１】
前記ワイヤ（４）は、前記ピン（６）を軸方向に包囲するように配置されている、請求項１から９のいずれかに記載のシートベルトリトラクタ。
【請求項１２】
荷重制限は、前記ワイヤ（４）の直径、前記ワイヤの材料、前記ピン（６）の周りの前記ワイヤの巻き数、前記ピンの直径、ピンの数、およびワイヤの数を変更することによって変更することができる、請求項１から１１のいずれかに記載のシートベルトリトラクタ。
【発明の詳細な説明】
【技術分野】
【０００１】
本発明は、荷重制限機構を有するシートベルトリタラクタに関する。
【背景技術】
【０００２】
シートベルトリトラクタは一般に、円筒形のボビン、すなわち円形断面を持つスプールを有している。シートベルトウェビングがスプールに取り付けられ、スプールの周りに巻かれている。スプールは、リトラクタ内で回転できるようにスプールシャフトに取り付けられ、リトラクタばねの作用を受けてウェビングを巻き取り、乗物の乗員の比較的穏やかな前方への移動、たとえば、ラジオまたはウィンドウ用の制御装置に手を伸ばすか、あるいはグローブボックスまたはドアポケットに手を伸ばすことに関連する通常の移動の作用を受けて、ウェビングを繰り出す。衝突時には、乗物の乗員のより激しい運動量が、スプールを回転しないようにロックし、かつ乗物の乗員の前方への動きや乗物の内部の設備への衝突を防止する衝突センサを作動させる。しかし、場合によっては、衝突時のシートベルトスプールのこの急激なロックは、ベルトウェビングにより胴体に急激な衝撃を与えることによって、乗物の乗員を怪我させる原因となる。近年、この問題が認識され、いくつかの解決策が提案されている。
【０００３】
１つの公知の解決策は、塑性変形可能または弾性変形可能な部材を力経路（force path）に挿入することによって荷重制限をもたらすことである。たとえば、スプールにトーションバーを組み込むことができる。トーションバーは、高いトルクがかけられたときに捩れ、破壊する前に７回または８回まで回転することができるスチールで作られる。トーションバーは分割スプールの両端部に連結されている。スプールの一方の端部は、衝突時に荷重支持爪に連結されるロックリングによって、回転しないように保持される。スプールの他方の端部は、トーションバーを介してロックリングに連結されることによって回転できないようにされるが、衝突力が所定のレベルを超えると、トーションバーは捩れ、ベルトウェビングを制限され制御された状態でさらに繰り出すのを可能とする。ベルトウェビングのこの追加の繰り出しは、衝突の瞬間の乗物の乗員の運動量に概ね比例する。このウェビングの繰り出しは、特に衝突の最初の瞬間に、乗物の速度が速いときの乗物の乗員に対する、そうでない場合の強い拘束力を減少させる。
【発明の開示】
【発明が解決しようとする課題】
【０００４】
しかし、トーションバーは、複雑で製造費が高く、乗物の様々な特性や、乗物の乗員の様々な体格および体重のような様々な条件に容易に適合させることができない。より安価であまり複雑でない荷重制限システムが必要である。
【課題を解決するための手段】
【０００５】
本発明の一態様によれば、リトラクタ内に回転するように取り付けられたスプールと、スプールの一方の端部に取り付けられたロックリングと、衝突時にロックリングを回転しないようにロックするロック爪と、ロックリングがロックされた後で、乗物の乗員の前方への運動量の働きを受けてシートベルトウェビングをさらに繰り出すのを可能にする荷重制限手段とを有し、荷重制限手段は、ある長さのワイヤと、スプールおよびロックリングの一方に取り付けられた巻き取りドラムと、スプールおよびロックリングの他方に固定されたピンとを有し、ワイヤは、ピンの周りに巻かれ、かつワイヤは、スプールとロックリングが相対的に移動したときに、ワイヤがピンの周りを回って引っ張られて、巻き取りドラム上に巻かれるように構成されているシートベルトリトラクタが提供される。
【発明を実施するための最良の形態】
【０００６】
図１に示されているシートベルトリトラクタは、フレーム２１内のスプール軸と同心のスピンドル９の周りを回転できるように取り付けられ、シートベルトウェビングを巻き取りかつ繰り出す、円筒形のリトラクタスプール１を有している。
【０００７】
衝突時には、参照符号２３によって示された位置に位置するセンサが、ロック爪２２を作動させて、スプールの一方の端部に固定された歯付きのロックリング３と噛み合わせ、回転を防止し、スプールロックプロセスを開始する。スプールの他方の端部は、スプールをウェビング巻戻し状態に付勢する時計型コイルばねである巻返しばねに連結されている。
【０００８】
衝突が検出されると、ロックリング３はロック爪２２に噛み合わされ、回転が防止される。スプール１は次いで、荷重制限構成によってさらに移動させられ、それ以上回転しないようロックされる。
【０００９】
図２から５には、荷重制限する前のスプール１がさらに詳しく示されている。図２では、スプール１は、回転軸１１と、スプールの一方の端部にらせん構造５の形の巻き取りドラムとを有している。巻き取りドラムは、ワイヤのコイルの角度が徐々に変化するように、らせん状に形成されることが好ましい。このことは、比較的平坦な荷重−変位グラフを生成する、すなわち、衝突状況でウェビングにかけられた荷重を最大効率で吸収するという利点を有する。ワイヤの、らせん上の接触点を変更することによって、ほぼあらゆる所望の荷重制限グラフを得ることができる。たとえば、乗物製造業者のニーズを満たす、直線状、累進的、逓減的、段階的、または様々な形状の荷重制限曲線を生成することができる。特に、らせんは、循環するワイヤがより大きな半径に飛び移り、したがって、トルクを段階的に小さくして２段階荷重制限作用を生じさせるように形成することができる。らせんは、スプール本体（またはロックリング）に組み込むか、または、その都度スプールを追加工せずに顧客の要求に適合させることのできる個別の要素として形成することができる。
【００１０】
巻き取りドラム／らせん構造５は、ロックリング３の穴１２を貫通してらせん構造５の穴１３に入るスピンドル９に取り付けられている。ワイヤ４は、スプール１に固定され、らせん構造５の周りに巻かれている。ワイヤ４の一方の端部は、ロックリング３に固定されたピン６の周りに巻かれている。ワイヤはピンの周りに複数回巻かれることが好ましい。ワイヤを変形させるのにエネルギーが必要であり（これをキャプスタン効果と呼ぶ）、これによって荷重制限作用が得られる。この構成は、図３の端面図、図４の斜視図、および図５の分解図に示されており、同じ部品は同じ参照番号で示されている。
【００１１】
ワイヤはスプールに固定され、１つまたは複数のピンはロックリングに取り付けられることが好ましい。
【００１２】
ワイヤは、第１の真っ直ぐな部分またはわずかに曲がった部分と、それに続く１つまたは２つ以上のコイルと、それに続く第２の真っ直ぐな部分とを有して、スチールで予め形成することができる。次に、ピンをコイルに挿入することができる。
【００１３】
図６から８は、荷重制限時のスプールを示しており、同じ部品は同じ参照番号によって示されている。ワイヤ４は、現状ではらせん構造５上に数回巻かれ、ワイヤ４はピン６の周りを回って引っ張られているためピン６から自由端部１４までの距離がずっと短いことが分かる。
【００１４】
図９から１１は、様々な変化を有する図１から８の構成の荷重と変位の関係を示すグラフである。
【００１５】
図９のグラフは、状態Ａが、ワイヤがその固定端部の周りで巻かれる構造がらせん形状なのでワイヤが比較的一定の荷重でピン９から解かれている時間である、２段階の荷重制限を明確に示している。ワイヤは、段階Ｂの開始時にらせんのより大きな半径に飛び移り、したがって、トルクを低減させる。
【００１６】
これは、従来、グラフの線は、ウェビング角度が小さくなり、かつトルクが増大するにつれて上昇していることを示す図１０に示されているような、標準的なトーションバーリトラクタの荷重と変位の関係を示すグラフと対称的である。
【００１７】
図１１のグラフは、らせん構造５の半径がより小刻みに変化することによって得られた、より平坦な力曲線を示している。この構成の利点は、実施する費用が比較的安く、かつワイヤの直径、ワイヤの材料、ピンの周りのワイヤの巻き数、ピンの直径、ピンの数、およびワイヤの数を変更することによって荷重制限作用を容易に変更できることである。
【図面の簡単な説明】
【００１８】
【図１】以後の図に示されている種類のスプールを含む、本発明によるシートベルトリトラクタの斜視図である。
【図２】荷重制限する前の、図１のシートベルトリトラクタのスプールの断面図である。
【図３】図２のスプールの端面図である。
【図４】図２および３のスプールの斜視図である。
【図５】図２から４のスプールの分解斜視図である。
【図６】荷重制限した後の、図２から５のスプールの断面図である。
【図７】図６のスプールの端面図である。
【図８】図６および７のスプールの斜視図である。
【図９】本発明によるシートベルトリトラクタに関して、シートベルトウェビングに対する荷重が、乗物の乗員の変位に対してどのように変化するかを示すグラフである。
【図１０】公知のシートベルトリトラクタに関して、シートベルトウェビングに対する荷重が、乗物の乗員の変位に対してどのように変化するかを示すグラフである。
【図１１】本発明によるシートベルトリトラクタに関して、シートベルトウェビングに対する荷重が、乗物の乗員の変位に対してどのように変化するかを示すグラフである。
【図１】
2006507166.tif 000003
【図２】
2006507166.tif 000004
【図３】
2006507166.tif 000005
【図４】
2006507166.tif 000006
【図５】
2006507166.tif 000007
【図６】
2006507166.tif 000008
【図７】
2006507166.tif 000009
【図８】
2006507166.tif 000010
【図９】
2006507166.tif 000011
【図１０】
2006507166.tif 000012
【図１１】
2006507166.tif 000013
【国際調査報告】
2006507166.tif 000014
2006507166.tif 000015